(57)【要約】      （修正有）【課題】電池容器内に注入される電解液の量を低減し、かつ、電池特性の低下を生じない角形二次電池を提供する。【解決手段】一側縁に正極箔が露出された正極電極と一側縁に負極箔が露出された負極電極とがセパレータを介して前記正極箔と前記負極箔とが反対側の側縁にそれぞれ露出するように捲回され、捲回方向の両端部に湾曲部４０Ｔが形成され、前記湾曲部４０Ｔを挟んで一対の幅広面を有する発電要素４０の湾曲部４０Ｔの一方と、電池容器の底面２２から一対の幅広側面２１ａにおける発電要素４０の湾曲部４０Ｔに対応する領域との間に跨る空間に配置され、発電要素４０の正極箔から負極箔までの間の電解液の流路５２を形成するスペーサ５０を備える。【選択図】図５
2015053129.tif 000002
【特許請求の範囲】
【請求項１】
一側縁に正極箔が露出された正極電極と一側縁に負極箔が露出された負極電極とがセパレータを介して前記正極箔と前記負極箔とが反対側の側縁にそれぞれ露出するように捲回され、捲回方向の両端部に湾曲部が形成され、前記湾曲部を挟んで一対の幅広面を有する発電要素と、
一対の幅広側面と、一対の幅狭側面と、底面とを有し、前記発電要素の前記湾曲部の一方が前記底面に平行に配置されて収容され、内部に電解液が注入される電池容器と、
前記電池容器内下方側における前記発電要素の前記湾曲部の一方に対応する領域に設けられ、前記正極箔と前記幅狭側面の一方との間の空間から前記負極箔と前記幅狭側面の他方との間の空間までの前記電解液の流路を形成するスペーサとを備える、角形二次電池。
【請求項２】
請求項１に記載の角形二次電池において、
前記電池容器は、前記底面及び前記一対の幅広側面に直角な一対の幅狭側面を有し、前記スペーサの長手方向の両端面は、それぞれ、前記一対の幅狭側面の内面に、直接、または絶縁層を介して当接している、角形二次電池。
【請求項３】
請求項１に記載の角形二次電池において、
前記スペーサは、前記発電要素の前記湾曲部の一方とほぼ平行な湾曲状上面を有し、前記電解液の流路は、前記湾曲状上面に形成された溝により形成されている、角形二次電池。
【請求項４】
請求項３に記載の角形二次電池において、
前記溝は、断面が多角形または円弧状である、角形二次電池。
【請求項５】
請求項３に記載の角形二次電池において、
前記スペーサは、１つの部材で形成されている、角形二次電池。
【請求項６】
請求項３に記載の角形二次電池において、
前記スペーサは、前記電池容器の前記幅広側面と平行な面で分割された、複数の分割スペーサにより構成されている、角形二次電池。
【請求項７】
請求項２に記載の角形二次電池において、
前記スペーサは、前記発電要素の前記湾曲部の一方とほぼ平行な湾曲状上面を有し、前記電池容器の前記幅広側面と平行な面で分割された、複数の分割スペーサにより構成されており、前記分割スペーサは、隣接する前記分割スペーサとは前記幅広側面と直交する方向に間隙を空けて配置され、前記電解液の流路は、前記間隙により形成されている、角形二次電池。
【請求項８】
請求項３乃至７のいずれか１項に記載の角形二次電池において、
前記スペーサの前記湾曲状上面は、前記発電要素が放電された状態で、前記発電要素の前記湾曲部の一方から離間し、前記発電要素が放電された状態で、前記発電要素の前記湾曲部の一方の少なくとも一部と接触する位置に保持されている、角形二次電池。
【発明の詳細な説明】
【技術分野】
【０００１】
この発明は、角形二次電池に関し、より詳細には、正・負極電極を有する発電要素が、電解液が注入される電池容器内に収容される角形二次電池に関する。
【背景技術】
【０００２】
電気自動車等の車両用の電源用電池として、エネルギー密度の高いリチウムイオン電池やニッケル水素電池等の角形二次電池が用いられている。角形二次電池は、通常、正・負極電極を、セパレータを介して捲回して発電要素を形成し、この発電要素を電池容器内に収容し、電池容器内に電解液を注入して作製される。
【０００３】
発電要素には、正・負極電極を捲回する際、捲回方向の両端部に半円形の湾曲部が形成される。この湾曲部を電池容器の上面および底面に平行にして電池容器内に収容される。この状態では、電池容器の上面側および底面側の角部と発電要素の湾曲部との間に、比較的広い空間が形成される。従って、電池容器内に注入される電解液は、この空間を充填する量が必要となる。
【０００４】
電池容器の角部と発電要素の湾曲部との間に充填される電解液の無駄を低減するために、電池容器の角部と発電要素との間に、発電要素の湾曲部の周囲を取り囲む湾曲状の上面を有するスペーサを配置した構造が知られている。このスペーサには、電池容器内で発生する熱またはガスをベントするため、スペーサの厚さ方向に形成された貫通ホールが形成されている（例えば、特許文献１参照）。
【先行技術文献】
【特許文献】
【０００５】
【特許文献１】特開２００６−４０８９９号公報
【発明の概要】
【発明が解決しようとする課題】
【０００６】
特許文献１に記載された角形二次電池では、発電要素の上下面に配置されるスペーサは、電池容器の内面に密着されており、電池容器内に注入された電解液は、正・負極側間の流動性がスペーサによって制限されてしまう。
このため、正・負極側における電解液の量に差が生じ、これに伴って、電池容量などの電池特性が低下する。
【課題を解決するための手段】
【０００７】
本発明の角形二次電池は、一側縁に正極箔が露出された正極電極と一側縁に負極箔が露出された負極電極とがセパレータを介して正極箔と負極箔とが反対側の側縁に位置するように捲回され、捲回方向の両端部に湾曲部が形成され、湾曲部を挟んで一対の幅広面を有する発電要素と、一対の幅広側面と、一対の幅狭側面と、底面とを有し、発電要素の湾曲部の一方が底面に平行に配置されて収容され、内部に電解液が注入される電池容器と、電池容器内下方側における発電要素の湾曲部の一方に対応する領域に設けられ、正極箔と幅狭側面の一方との間の空間から負極箔と幅狭側面の他方との間の空間までの電解液の流路を形成するスペーサとを備える。
【発明の効果】
【０００８】
この発明によれば、スペーサにより正・負極側間の電解液の流通が確保されるので、正・負極側の電解液の量の差を緩和することができ、電池容量などの電池特性を向上することができる。
【図面の簡単な説明】
【０００９】
【図１】本発明に係る角形二次電池の一実施の形態の外観斜視図。
【図２】図１に示された角形二次電池の分解斜視図。
【図３】角形二次電池内に収納された発電要素の、捲回終端部側を展開した状態の斜視図。
【図４】図１に図示された角形二次電池において、電池缶の一側面を取り除いた状態を示す側面図。
【図５】図１に図示された角形二次電池において、厚さ方向に平行な面で切断した断面図。
【図６】スペーサの外観斜視図。
【図７】（ａ）〜（ｃ）は、それぞれ、スペーサの断面図。
【図８】スペーサの変形例１を示す外観斜視図。
【図９】スペーサの変形例２を示す外観斜視図。
【発明を実施するための形態】
【００１０】
［角形二次電池の全体構造］
以下、この発明の角形二次電池の一実施の形態を図面と共に説明する。
図１は、本発明に係る角形二次電池の一実施の形態の外観斜視図であり、図２は、図１に示された角形二次電池の分解斜視図である。
以下の説明では、角形二次電池を、リチウムイオン電池として説明する。
角形二次電池Ｃ１は、電池缶１および電池蓋６を備える。電池缶１及び電池蓋６の材料としては、アルミニウムまたはアルミニウム合金等のアルミニウム系金属が用いられる。電池缶１は、矩形の底面２２と、底面２２から立ち上がる角筒状の側壁部２１と、側壁部２１の上端で上方に向かって開放された開口部１ａ（図２参照）とを有している。側壁部２１は、一対の幅広側面２１ａと一対の幅狭側面２１ｂとを有している。電池缶１内には、発電要素４０が収納され、電池缶１の開口部１ａが電池蓋６によって封止されている。
【００１１】
電池蓋６は、その周縁部が電池缶１の開口部１ａの周縁部にレーザ溶接により接合され、電池缶１と電池蓋６によって密閉された電池容器１０が構成される。電池蓋６には、正極外部端子８Ａと、負極外部端子８Ｂが設けられている。
正極外部端子８Ａはアルミニウム、アルミニウム合金等のアルミニウム系金属により形成され、電池容器１０内で正極集電板４Ａにより発電要素４０の正極電極４１に接続されている。負極外部端子８Ｂは、銅、銅合金等の銅系金属により形成され、電池容器１０内で負極集電板４Ｂにより発電要素４０の負極電極４２に接続されている。正極外部端子８Ａと負極外部端子８Ｂとは、材料が異なる以外は、同一の構造を有する。
正極外部端子８Ａと負極外部端子８Ｂを介して発電要素４０に充電され、また、発電要素４０から外部負荷に電力が供給され、放電する。電池蓋６には、ガス排出弁１２が一体的に設けられており、電池容器１０内の圧力が上昇すると、ガス排出弁１２が開いて内部からガスが排出され、電池容器１０内の圧力が低減される。これによって、角形二次電池Ｃ１の安全性が確保される。
【００１２】
電池蓋６には、ガス排出弁１２に隣接して注液栓１１が設けられている。電池容器１０内に発電要素４０を収納し、電池容器１０の開口部１ａを電池蓋６により封口し、電池蓋６に設けられた注液口９から非水電解液を電池容器１０内に注入した後、注液口９を注液栓１１により封止する。
【００１３】
非水電解液としては、例えば、エチレンカーボネートとジメチルカーボネートとを体積比で１：２の割合で混合した混合溶液中へ六フッ化リン酸リチウム（ＬｉＰＦ６）を１モル／リットルの濃度で溶解したものを用いることができる。
【００１４】
［発電要素］
図３は、発電要素４０の斜視図である。図３では、発電要素４０は、その捲回終端部側を展開した状態で図示されている。
発電要素４０は、正極電極４１と負極電極４２とを、セパレータ４３、４４を介在して軸芯Ｃ−Ｃの周囲に捲回して、扁平直方体状に形成されている。
正極電極４１は、例えば、アルミニウムまたはアルミニウム合金等のアルミニウム系金属からなる正極金属箔４１ａの表・裏両面に正極合剤が塗工された正極合剤塗工部４１ｂを有する。正極合剤塗工部４１ｂは、正極金属箔４１ａの一側縁に、正極金属箔４１ａが露出された正極合剤未塗工部４１ｃ（正極箔）が形成されるように正極金属箔４１ａに正極合剤を塗工して形成される。
負極電極４２は、例えば、銅または銅合金等の銅系金属からなる負極金属箔４２ａの表・裏両面に負極合剤が塗工された負極合剤塗工部４２ｂを有する。負極合剤塗工部４２ｂは、正極合剤未塗工部４１ｃの側縁と反対側に配置された他側縁に、負極金属箔４２ａが露出された負極合剤未塗工部４２ｃが形成されるように負極金属箔４２ａに負極合剤を塗工して形成される。
【００１５】
セパレータ４３、４４は、それぞれ、正極合剤が塗工されたた正極金属箔４１ａおよび負極合剤が塗工された負極金属箔４２ａを絶縁する。負極電極４２の負極合剤塗工部４２ｂは、正極電極４１の正極合剤塗工部４１ｂよりも幅方向および長手方向に大きく形成され、これにより正極合剤塗工部４１ｂは、始端部から周端部までの全領域が負極合剤塗工部４２ｂに覆われている。
【００１６】
図３に図示されるように、発電要素４０は、高さ方向の両端部に形成された円弧部（湾曲部）４０Ｔと、両円弧部４０Ｔの間に位置する一対の平坦部（幅広面）４０Ｐとを有し、扁平直方体形状に形成されている。平坦部４０Ｐは、僅かに、中央部が厚い湾曲状とされていることもある。
発電要素４０は、一方の円弧部４０Ｔを下に向け、軸芯Ｃ−Ｃを電池缶１の底面２２と平行にして、電池缶１内に収容されている。電池缶１内に収容された状態では、発電要素４０の一対の平坦部４０Ｐは、それぞれ、電池缶１の幅広側面２１ａにほぼ平行に対面している。
【００１７】
図２を参照して、角形二次電池Ｃ１の電池缶１には、絶縁シート（絶縁層）２を介して発電要素４０が収容されている。
上述した如く、発電要素４０は、セパレータ４３、４４を介して正極電極４１と負極電極４２を扁平形状に捲回した電極群であり、捲回軸方向の両端面側には、正極合剤および負極合剤が塗布されていない正極合剤未塗工部４１ｃおよび負極合剤未塗工部４２ｃが設けられている。
発電要素４０は、一方の円弧部４０Ｔ側から電池缶１内に挿入され、他方の一方の円弧部４０Ｔ側が電池缶１の開口部１ａ側に配置される。
【００１８】
発電要素４０の電極箔露出部である正極合剤未塗工部４１ｃおよび負極合剤未塗工部４２ｃは、少なくとも一部が束ねられて平板状とされており、それぞれ、正極集電板４Ａおよび負極集電板４Ｂの一端に、超音波溶接により接合されている。このとき、重ね合わされた正極合剤未塗工部４１ｃ同士および負極合剤未塗工部４２ｃ同士も、相互に接合されている。
【００１９】
正極集電板４Ａの他端と負極集電板４Ｂの他端は、それぞれ正極集電板４Ａおよび負極集電板４Ｂにより正極外部端子８Ａと負極外部端子８Ｂに接続されている。
【００２０】
正極集電板４Ａと負極集電板４Ｂ、および正極外部端子８Ａと負極外部端子８Ｂを、それぞれ電池蓋６から電気的に絶縁するために、ガスケット５および絶縁板７が電池蓋６に設けられている。
【００２１】
正極接続部１４ａ、負極接続部１４ｂのそれぞれは、正極外部端子８Ａ、負極外部端子８Ｂの下面から突出しており、その先端が電池蓋６の正極側貫通孔６Ａ、負極側貫通孔６Ｂに挿入可能な円柱形状を有している。正極接続部１４ａ、負極接続部１４ｂは、電池蓋６を貫通し、さらに正極集電板４Ａ、負極集電板４Ｂの正極集電板基部４１Ａ、負極集電板基部４１Ｂを貫通して電池缶１の底面に向かって突出している。正極接続部１４ａと負極接続部１４ｂの先端がかしめられて、正極外部端子８Ａ、負極外部端子８Ｂと、正極集電板４Ａ、負極集電板４Ｂとが電池蓋６に一体化され、これにより電池蓋組立体３０が構成されている。
【００２２】
正極外部端子８Ａおよび負極外部端子８Ｂのそれぞれと電池蓋６との間には、ガスケット５が介在されており、正極集電板４Ａおよび負極集電板４Ｂのそれぞれと電池蓋６との間には、絶縁板７が介在されている。
【００２３】
正極集電板４Ａは、電池蓋６の下面に対向して配置される矩形板状の正極集電板基部４１Ａと、正極集電板基部４１Ａの側端で折曲されて、電池缶１の幅広側面２１ａに沿って底面２２側に向かって延出され、発電要素４０の正極合剤未塗工部４１ｃに対向して重ね合わされた状態で接続される正極側接続端部４５Ａを有している。負極集電板４Ｂは、電池蓋６の下面に対向して配置される矩形板状の負極集電板基部４１Ｂと、負極集電板基部４１Ｂの側端で折曲されて、電池缶１の幅広側面２１ａに沿って底面２２側に向かって延出され、発電要素４０の負極合剤未塗工部４２ｃに対向して重ね合わされた状態で接続される負極側接続端部４５Ｂを有している。正極集電板基部４１Ａ、負極集電板基部４１Ｂのそれぞれには、正極接続部１４ａが挿通される正極側開口孔４３Ａ、負極接続部１４ｂが挿通される、負極側開口孔４３Ｂがそれぞれ形成されている。
【００２４】
［スペーサ］
発電要素４０の下方にスペーサ５０が配置されている。スペーサ５０は、発電要素４０と共に絶縁シート２により覆われる。つまり、絶縁シート２を折り畳んで電池缶１の内部に収納し、電池缶１の底面２２、一対の幅広側面２１ａ、一対の幅狭側面２１ｂの内側に配置する。そして、スペーサ５０を、その下面５０ｃを電池缶１の底面２２に向けて電池缶１の開口部１ａから挿入し、電池缶１の底面２２に当接させる。スペーサ５０を、折り畳んだ絶縁シート２の内側に収納した状態で、絶縁シート２と共に電池缶１内に収容してもよい。この後、発電要素４０を、電池缶１の開口部１ａから、折り畳まれた絶縁シート２の内側に位置するように電池缶１内に収容する。発電要素４０は、予め、正極集電板４Ａ、負極集電板４Ｂを、それぞれ、電池蓋組立体３０の正極集電板４Ａ、負極集電板４Ｂに接合して電池蓋組立体３０とされており、この状態で電池缶１内に収容される。
このとき、スペーサ５０の長手方向に対向する両端面５０ａ、５０ｂは、絶縁シート２を介して電池缶１の一対の幅狭側面２１ｂの内面に当接している。
【００２５】
図４は、図１に図示された角形二次電池において、電池缶の一側面を取り除いた状態を示す側面図であり、図５は、図１に図示された角形二次電池において、厚さ方向に平行な面で切断した断面図である。図６は、スペーサの外観斜視図である。
スペーサ５０は、電池缶１内に収容された発電要素４０と電池缶１の底部側における内部空間を埋めて、電池缶１内に注入される非水電解液の量を低減する機能を有する。このとき、以下に詳述するように、電池缶１内に注入された非水電解液は発電要素４０の正極側と負極側とに流通可能な構造とされている。このため、電池缶１内における発電素子４０の正極側と負極側に注入された非水電解液の量がほぼ同じとなり、電池容量などの電池特性の低下を防止する。
【００２６】
図４、図５に図示されるように、スペーサ５０は、電池缶１の底面２２の内面に密着して収容されている。
なお、図４、図５においては、絶縁シート２は図示を省略してある。
スペーサ５０の下面５０ｃおよび長手方向に延出される一対の側面５０ｄは、絶縁シート２を介して、それぞれ、電池缶１の底面２２および一対の幅広側面２１ａの各内面に当接している。また、スペーサ５０の長手方向に対向する両端面５０ａ、５０ｂは、絶縁シート２を介して電池缶１の一対の幅狭側面２１ｂに当接している。
スペーサ５０の上部には、電池蓋組立体３０に一体化された発電要素４０が配置されている。
【００２７】
上述した通り、発電要素４０は、捲回方向の両端に円弧部４０Ｔを有し、両円弧部４０Ｔの間に一対の平坦部４０Ｐを有するほぼ扁平直方体状に形成されている。
スペーサ５０の発電要素４０に対向する面である上面５１は、発電要素４０の一方の円弧部４０Ｔと同様に、円弧状に形成されている。上面５１には、長手方向に平行に、複数の溝５２が形成されている。
【００２８】
発電要素４０は、リチウム角形二次電池が充放電されると、リチウムイオンの吸蔵・脱離によって、膨張・収縮する。正極合剤及び負極合剤の材料により、充電時に膨張し、放電時に収縮する場合と、逆に、充電時に収縮し、放電時に膨張する場合があるが、いずれにしても、充放電により厚さ方向への膨張・収縮が生じる。
発電要素４０の一対の平坦部４０Ｐと電池缶１の一対の幅広側面２１ａとの隙間は、充放電により発電要素４０が収縮すると離間し、発電要素４０が膨張すると接触する程度とされている。
また、スペーサ５０の上面５１と、発電要素４０の一方の円弧部４０Ｔとの隙間は、充放電により発電要素４０が収縮すると離間し、発電要素４０が膨張すると接触する程度とされている。発電要素４０の円弧部４０Ｔは、必ずしも真円状ではないので、発電要素４０が膨張した際に、円弧部４０Ｔの一部がスペーサ５０の上面５１に接触する程度の隙間とすることが好ましい。
【００２９】
スペーサ５０の溝５２は、スペーサ５０の長手方向の全長に亘って形成されている。スペーサ５０の断面形状の一例を図７（ａ）〜図７（ｃ）に示す。図７（ａ）では、スペーサ５０の溝５２の断面形状は矩形形状とされている。図７（ｂ）では、スペーサ５０の溝５２の断面形状は円弧形形状とされており、図７（ｃ）では、逆三角形形状とされている。スペーサ５０の溝５２の断面形状に制限はなく、上記以外の如何なる形状としてもよい。また、スペーサ５０の溝５２の幅や深さも、任意に設定することができる。スペーサ５０の溝５２は、非水電解液の流路を形成するためのものであるから、非水電解液が円滑に流れる形状とすることが好ましい。
【００３０】
スペーサ５０の材質は、例えば、ポリエチレンテレフタレート、ポリフェニレンサルファイド、ポリフルオロアルコキシフッ素樹脂等の合成樹脂材料が適しているが、絶縁性を有し、非水電解液に耐えられる材料であれば、差し支えない。
【００３１】
スペーサ５０は、電池缶１の一対の幅狭側面２１ｂ間の全長に亘る長さを有しているので、スペーサ５０の溝５２は、発電要素４０の正極合剤未塗工部４１ｃと一方の幅狭側面２１ｂとの間の空間と、負極合剤未塗工部４２ｃと他方の幅狭側面２１ｂとの間の空間とを連通する流路を形成する。つまり、発電要素４０の正・負極電極側の端部と、電池缶１の一対の幅狭側面２１ｂとの間に注入される非水電解液は、スペーサ５０の溝５２を流路として、両電極側の端部と一対の幅狭側面との間に空間を流通する。このため、電池缶１内における発電要素４０の正極側と負極側に注入される非水電解液の量を、ほぼ等しくすることができる。これにより、電池容量などの電池特性を良好な状態に維持することが可能となる。
【００３２】
［変形例１］
図８は、スペーサの変形例１を示す外観斜視図である。
変形例１としてのスペーサ５０は、幅方向の中心において、換言すれば、断面における厚さが最も薄い位置で、長手方向に平行な面で２つに分割されている。分割スペーサ５０Ａ１と分割スペーサ５０Ａ２とは、左右対称な形状を有し、中央側で突き合わされてスペーサ５０を構成している。一実施の形態では、スペーサ５０の長手方向に延出される一対の側面５０ｄを、電池缶１の一対の幅広側面２１ａに、絶縁シート２を介して当接しながら挿入する。これに対し、変形例１では、分割スペーサ５０Ａ１、５０Ａ２を１つずつ電池缶１内に挿入することにより、挿入作業の効率化を図ることができる。なお、スペーサ５０の分割数は、２つに限られるものではなく、３つ以上とすることも可能である。
【００３３】
［変形例２］
図９は、スペーサの変形例２を示す外観斜視図である。
変形例２は、分割スペーサ５０Ａ１と分割スペーサ５０Ａ２とが、中央側で突き合わされずに、離間して配置されたスペーサ５０を構成する点で、変形例１と相違する。
分割スペーサ５０Ａ１と分割スペーサ５０Ａ２とが離間されたスペースＳ１は、非水電解液の流路としての機能を有する。従って、変形例２において、各分割スペーサ５０Ａ１、５０Ａ２の上面５１に溝５２を形成せず、半円形状の平坦な上面とすることも可能である。
【００３４】
以上説明した通り、上記実施形態によれば、下記の効果を奏する。
（１）発電要素４０の円弧部４０Ｔと、電池缶１の底面２２側との間に、電池缶１の角部に形成される内部空間を縮小するためのスペーサ５０を設け、このスペーサ５０に発電要素４０の正極側と負極側とを差し渡す流路を形成した。このため、電池缶１内における発電要素４０の正極側と負極側に注入されている非水電解液の量を、ほぼ等しくすることができ、これにより、電池容量等の電池特性を良好な状態に維持することが可能となる。
【００３５】
（２）スペーサ５０の上面５１の形状を、発電要素４０の円弧部４０Ｔと同様な円弧状としたので、スペーサ５０と発電要素４０との間に注入される非水電解液の量を少なくすることができる。また、スペーサ５０の上面５１に非水電解液の流路となる溝５２を形成したので、充放電により膨張・収縮する発電要素４０とスペーサ５０の上面５１間との隙間と溝５２とが連続され、非水電解液の流路の抵抗を減少することができる。
【００３６】
（３）スペーサ５０の長手方向に対向する両端面５０ａ、５０ｂを、絶縁シート２を介して電池缶１の一対の幅狭側面２１ｂに当接する構造とした。このため、スペーサ５０の保持構造が簡素となり、かつ、作業性が良好となる。
【００３７】
なお、上記一実施の形態では、電池容器１０を、電池缶１と電池蓋６とを接合して構成した構造として例示したが、電池缶１と電池蓋６が一体的に形成された電池容器としてもよい。このような電池容器では、底面２２側に形成された開口部を、底部部材で密封する。
【００３８】
上記一実施の形態では、電池缶１の底面２２側にのみスペーサ５０を配した構造として例示したが、電池缶１の開口部１ａ側にもスペーサ５０を配するようにしてもよい。
【００３９】
上記一実施の形態では、発電要素４０は、両端部の円弧部４０Ｔの間が平坦部４０Ｐであるとして例示したが、平坦部４０Ｐは、平坦ではなく、多少、円弧状に湾曲する形状であってもよい。
【００４０】
上記一実施の形態では、スペーサ５０を絶縁シート２で覆う構造として例示した。しかし、絶縁シート２を、発電要素４０のみを覆う形状・大きさとし、スペーサ５０を、直接、電池缶１の底面２２、一対の幅広側面２１ａおよび一対の幅狭側面２１ｂの各内面に当接させる構造としてもよい。また、絶縁シート２を用いず、電池缶１の内面に、絶縁処理を施すようにしてもよい。また、スペーサ５０は、電池缶１の一対の幅広側面２１ａおよび一対の幅狭側面２１ｂ両内面に当接させる必要はなく、一方の内面に当接して、その位置に保持されるようにしてもよい。
【００４１】
上記一実施の形態では、角形二次電池Ｃ１をリチウムイオン電池として説明した。しかし、本発明は、ニッケル水素電池またはニッケル・カドミウム電池、鉛蓄電池のように水溶性電解液を用いる角形二次電池Ｃ１にも適用が可能である。
【００４２】
その他、本発明は、発明の趣旨の範囲内において種々変形して適用することができるものであり、要は、電池容器内下方側における発電要素の湾曲部の一方に対応する領域に設けられ、正極箔と幅狭側面の一方との間の空間から負極箔と幅狭側面の他方との間の空間までの電解液の流路を形成するスペーサを備えるものであればよい。
【符号の説明】
【００４３】
１      電池缶
２      絶縁シート（絶縁層）
６      電池蓋
１０      電池容器
２１      側壁部
２１ａ    幅広側面
２１ｂ    幅狭側面
２２      底面
４０      発電要素
４０Ｐ    平坦部（幅広面）
４０Ｔ    円弧部（湾曲部）
４１      正極電極
４１ｃ    正極合剤未塗工部（正極箔）
４２      負極電極
４２ｃ    負極合剤未塗工部（負極箔）
５０      スペーサ
５０Ａ１、５０Ａ２    分割スペーサ
５０ｃ    下面
５０ａ、５０ｂ    端面
５１      上面
５２      溝
Ｃ１      角形二次電池
Ｓ１       スペーサ
【図１】
2015053129.tif 000003
【図２】
2015053129.tif 000004
【図３】
2015053129.tif 000005
【図４】
2015053129.tif 000006
【図５】
2015053129.tif 000007
【図６】
2015053129.tif 000008
【図７】
2015053129.tif 000009
【図８】
2015053129.tif 000010
【図９】
2015053129.tif 000011